(57)【要約】【課題】  フィルタを回転させるレンジフードにおいて、騒音発生の機会を減少させる。【解決手段】  空気の流れを発生させるファン４と、空気の流れの流路上であってファンより上流側に存在し、空気の流れを通過させる孔を有するフィルタ１０と、フィルタを回転させる電動機２０と、電動機の回転を、少なくとも２つの第１回転速度および該第１回転速度より速い第２回転速度で回転させるように制御する制御部３０と、調理器での調理状態を監視する調理状態監視部４０と、を備え、制御部は、調理状態監視部が監視する調理状態に応じて、第１回転速度および第２回転速度で電動機の回転速度を制御するレンジフード１を提供する。【選択図】  図３
2018105568.tif 000002
【特許請求の範囲】
【請求項１】
調理器の上方または近傍に設けられるレンジフードであって、
空気の流れを発生させるファンと、
前記空気の流れの流路上であって前記ファンより上流側に存在し、前記空気の流れを通過させる孔を有するフィルタと、
前記フィルタを回転させる電動機と、
前記電動機の回転を、少なくとも２つの第１回転速度および該第１回転速度より速い第２回転速度で回転させるように制御する制御部と、
前記調理器での調理状態を監視する調理状態監視部と、
を備え、
前記制御部は、前記調理状態監視部が監視する調理状態に応じて、前記第１回転速度および前記第２回転速度で前記電動機の回転速度を制御する、
レンジフード。
【請求項２】
前記調理状態監視部が監視する調理状態に基づき、油煙が所定の閾値以上発生しているか否かを判定する判定部をさらに備え、
前記制御部は、前記判定部が油煙が所定の閾値以上発生していると判定した場合、前記電動機を前記第２回転速度で回転させることを特徴とする請求項１に記載のレンジフード。
【請求項３】
前記判定部が油煙が所定の閾値以上発生していると判定した後該所定の閾値または該所定の閾値とは異なる閾値以上発生していないと判定した場合、前記制御部は、直ちに前記電動機の回転を停止する、または、直ちに前記電動機の回転を前記第１回転速度で回転させる、または、所定時間前記第２回転速度を維持した後前記電動機の回転を停止する、または、所定時間前記第２回転速度を維持した後前記電動機の回転を前記第１回転速度で回転させることを特徴とする請求項２に記載のレンジフード。
【請求項４】
前記ファンが発生させる空気の流れの風量には、少なくとも２つの第１風量および該第１風量より大きい第２風量があり、
前記ファンが前記第２風量の空気の流れを発生させている時の前記第２回転速度は、前記ファンが前記第１風量の空気の流れを発生させている時の前記第２回転速度より速く、
前記ファンが前記第２風量の空気の流れを発生させている時の前記第１回転速度は、前記ファンが前記第１風量の空気の流れを発生させている時の前記第１回転速度より速いことを特徴とする請求項１乃至３のいずれかに記載のレンジフード。
【請求項５】
前記調理状態監視部は、前記レンジフードとは別体をなし、前記制御部との間で無線通信を行うことを特徴とする請求項１乃至４のいずれかに記載のレンジフード。
【発明の詳細な説明】
【技術分野】
【０００１】
本発明は、レンジフードに関し、特にフィルタを回転させるレンジフードに関する。
【背景技術】
【０００２】
従来から、排気運転中にフィルタを回転させるレンジフードが提案されている。例えば、特許文献１は、圧力損失が小さく、油捕集効率が良いレンジフードを開示する。このレンジフードは、空気の流れを発生させるファンと、空気の流れの流路上であってファンより上流側に存在し、空気の流れを通過させる孔を有するフィルタと、フィルタを回転させる電動機と、フィルタの周囲を囲む油分捕集部材と、ファンと電動機の回転を制御する制御部と、を備える。
【先行技術文献】
【特許文献】
【０００３】
【特許文献１】特開２０１３−１３９９４５号公報
【発明の概要】
【発明が解決しようとする課題】
【０００４】
しかし、かかるレンジフードは、フィルタが高速に回転する際に風切音などの騒音が発生することがあった。
そこで、本発明は、騒音発生の機会を減少させるレンジフードを提供するものである。
【課題を解決するための手段】
【０００５】
上記課題を解決するために、調理器の上方または近傍に設けられるレンジフードであって、空気の流れを発生させるファンと、空気の流れの流路上であってファンより上流側に存在し、空気の流れを通過させる孔を有するフィルタと、フィルタを回転させる電動機と、電動機の回転を、少なくとも２つの第１回転速度および該第１回転速度より速い第２回転速度で回転させるように制御する制御部と、調理器での調理状態を監視する調理状態監視部と、を備え、制御部は、調理状態監視部が監視する調理状態に応じて、第１回転速度および第２回転速度で電動機の回転速度を制御するレンジフードが提供される。
これによれば、調理状態に応じて、フィルタを回転させる電動機の回転速度を制御することで、必要な時のみフィルタを高速に回転させ、騒音発生の機会を減少させたレンジフードを提供できる。
【０００６】
さらに、調理状態監視部が監視する調理状態に基づき、油煙が所定の閾値以上発生しているか否かを判定する判定部をさらに備え、制御部は、判定部が油煙が所定の閾値以上発生していると判定した場合、電動機を第２回転速度で回転させることを特徴としてもよい。
これによれば、油煙が所定の閾値以上発生している場合にフィルタを高速に回転させることで、大きな騒音が発生する機会を減少させることができる。
【０００７】
さらに、判定部が油煙が所定の閾値以上発生していると判定した後該所定の閾値または該所定の閾値とは異なる閾値以上発生していないと判定した場合、制御部は、直ちに電動機の回転を停止する、または、直ちに電動機の回転を第１回転速度で回転させる、または、所定時間第２回転速度を維持した後電動機の回転を停止する、または、所定時間第２回転速度を維持した後電動機の回転を第１回転速度で回転させることを特徴としてもよい。
これによれば、油煙が所定の閾値以上発生しなくなった場合にはフィルタを低速または停止するように制御することで、騒音発生の機会を減少させることができる。
【０００８】
さらに、ファンが発生させる空気の流れの風量には、少なくとも２つの第１風量および該第１風量より大きい第２風量があり、ファンが第２風量の空気の流れを発生させている時の第２回転速度は、ファンが第１風量の空気の流れを発生させている時の第２回転速度より速く、ファンが第２風量の空気の流れを発生させている時の第１回転速度は、ファンが第１風量の空気の流れを発生させている時の第１回転速度より速いことを特徴としてもよい。
これによれば、空気の流れを発生させるファンが高速に回転している場合はフィルタによる騒音がかき消されるので、その場合にはフィルタの回転速度を高速にしても騒音とは思われ難いことから、ファンの高速回転時と低速回転時に応じてフィルタの回転速度を制御することで、騒音発生の機会を減少させると共に高い油捕集効率を維持することができる。また、風量によってフィルタを通過する油煙の流速が異なるため、必要とするフィルタの回転速度は異なる。したがって、第１回転速度と第２回転速度を、相対的に風量が小さい場合には遅くすることができ、高い油捕集効率を維持したまま、フィルタの回転に伴い発生する騒音を低減することが可能となる。
【０００９】
さらに、調理状態監視部は、レンジフードとは別体をなし、制御部との間で無線通信を行うことを特徴としてもよい。
これによれば、調理状態監視部がレンジフードとは別体となることで、監視対象に適した位置に配置することができる。
【発明の効果】
【００１０】
以上説明したように、本発明によれば、必要な時のみフィルタを高速に回転させ、騒音発生の機会を減少させたレンジフードを提供することができる。
【図面の簡単な説明】
【００１１】
【図１】本発明に係る第一実施例のレンジフードがキッチンに設置された場合の、（Ａ）正面立面図、（Ｂ）側面立面図。
【図２】本発明に係る第一実施例のレンジフードの、（Ａ）底面図、（Ｂ）整流板を取り外した場合の底面図。
【図３】本発明に係る第一実施例のレンジフードの図２におけるＩ−Ｉ断面の断面図。
【図４】本発明に係る第一実施例のレンジフードの、（Ａ）斜視図、（Ｂ）拡大斜視図。
【図５】本発明に係る第一実施例のレンジフードの制御方法を示すフローチャート。
【図６】本発明に係る第一実施例の第一変形例のレンジフードの制御方法を示すフローチャート。
【図７】本発明に係る第一実施例の第二変形例のレンジフードの制御方法を示すフローチャート。
【図８】本発明に係る第一実施例の第三変形例のレンジフードの制御方法を示すフローチャート。
【図９】本発明に係る第二実施例のレンジフードがキッチンに設置された場合の、（Ａ）正面立面図、（Ｂ）側面立面図。
【図１０】本発明に係る第三実施例のレンジフードがキッチンに設置された場合の、（Ａ）正面立面図、（Ｂ）側面立面図。
【図１１】本発明に係る第四実施例のレンジフードがキッチンに設置された場合の、（Ａ）正面立面図、（Ｂ）側面立面図。
【発明を実施するための形態】
【００１２】
以下では、図面を参照して、各実施例について説明する。
＜第一実施例＞
図１乃至図４を参照し、本実施例にかかるレンジフード１について説明する。レンジフード１は、調理器ＣＤが設置されたキッチンに設置され、図１に示すように、調理器ＣＤの上方に配置されて、調理器ＣＤで調理されることで発生する油煙や湯気等などを捕獲し、清浄化したあとの空気を屋外等に排気する。レンジフード１は、下方で行われる調理によって発生する油煙等を捕集するための、上方に凹状の内面パネル５を内面に有する薄型のフード部２を有する。なお、本実施例のレンジフード１は、調理器ＣＤの上方に配置されるが、調理器ＣＤの側方の近傍にあってもよい。
【００１３】
フード部２は、図２乃至図４に示されるように、上部後方に位置する内面パネル５の連通口６付近で、排気ダクト（図示せず）に接続される送風機ボックス３と連結されている。送風機ボックス３は、幕板９の背面側に位置し、内部にシロッコファンであり空気の流れＤ１を発生させるファン４を有する。従って、ファン４が稼働すると連通口６は負圧となり、内面パネル５の下方の空気は連通口６を通して吸入され、排気ダクトを通して外部に排出される。連通口６は、ファン４と連通し、ファン４が発生させた空気の流れＤ１の流路上であって、ファン４より空気の流れの上流側に位置する。
【００１４】
レンジフード１は、連通口６の位置に、空気の流れＤ１を通過させる孔１１を有する円盤状のフィルタ１０と、円盤状のフィルタ１０の中心にシャフトを連結され、フィルタ１０を回転させる電動機２０と、内面パネル５に取り付けられ、フィルタ１０の外周縁を囲むようにして配置される油分捕集部材６０と、を備える。従って、レンジフード１は、ファン４が発生させる空気の流れＤ１の流路上であって、ファン４よりその流れの上流側に存在し、その空気の流れを図視で下から上に通過させる孔１１を有するフィルタ１０を、回転可能に備える。
【００１５】
さらに、レンジフード１は、ファン４と電動機２０の回転を制御する制御部３０と、使用者の操作を受け付けて、制御部３０にレンジフード１の稼働／停止信号などを出力する操作部７０と、を備える。制御部３０は、後述するファン４と電動機２０の回転を制御する方法を記述した制御プログラムなどを含む公知のマイコンから構成される。操作部７０は、レンジフード１の使用者が操作するスイッチから構成され、フード部２の正面側の側面に配置されている。むろん、これに限定されず、レンジフード１とは別体のリモコンや、調理器からの信号を受け取って出力を行うように構成されても良い。また、操作部７０は、制御部３０にレンジフード１の稼働信号／停止信号だけでなく、ファン４と電動機２０の回転速度の変更を指示する信号を出力する。
【００１６】
内面パネル５の下方の空気は、調理によって発生する湯気や油煙等を含んでおり、ファン４が稼働すると、連通口６に存在する、即ちファン４が発生させた空気の流れＤ１の流路上であってファン４より上流側に位置するフィルタ１０の孔１１に吸引され、その孔１１を通過することになる。制御部３０は、操作部７０から稼働信号を受けると、ファン４を回転させて空気の流れＤ１を発生させると共に、電動機２０により回転可能に設けられたフィルタ１０を電動機２０に通電することで回転させる。レンジフード１は、フィルタ１０を回転させることにより、空気に含まれる油分を油分捕集部材６０に捕集する。
【００１７】
油分の捕集方法に関して詳述する。レンジフード１の下方で行われる調理によって発生する湯気や油煙等と共に、暖められた空気はレンジフード１の方へ立ち上る。レンジフード１が運転を開始しファン４が回転し始めると、ファン４は空気の流れを発生させる。そうすると、整流板７辺りに立ち上った空気は、整流板７と内面パネル５の間から吸い込まれ、その後フィルタ１０の孔１１を通過して、送風機ボックス３内のファン４に吸入される。そして、その後、送風機ボックス３から排気ダクトへ排出される。
【００１８】
制御部３０は、稼働状態においては、レンジフード１が調理によって発生する油煙等を捕集するために空気の流れを発生させるファン４を回転させている時にフィルタ１０を回転させる電動機２０を回転させるように制御を行う。フィルタ１０の単位時間当たりの回転数は、フィルタの孔の開口状態にもよるが、少なくとも２３０ｒｐｍ（Ｒｏｔａｔｉｏｎ Ｐｅｒ Ｍｉｎｕｔｅ）以上であればよい。フィルタ１０がかかる回転速度で高速に回転すると、フィルタ１０の表面（孔１１のない部分）が、その表面に接する空気を摩擦力により引きずり、空気の粘性により付近の空気にもその動きが伝わることで、フィルタ１０の表面付近には空気の動きが生じ、フィルタ１０は回転運動をしているので、空気の動きは電動機２０のシャフトを中心とした渦状となる。
【００１９】
この渦状の空気の動きは、フィルタ１０の両面、即ちフィルタ１０の下面と上面の両方、換言すれば、フィルタ１０の空気の流れの上流側の面と下流側の面の両方に発生する。本実施例においては、ファン４が発生させる空気の流れが、フィルタ１０の孔１１を通って流れているので、フィルタ１０の下流側では、渦状の空気の動きはフィルタ１０の表面から引き離されつつ、フィルタ１０の外周縁に向かうらせん状流が発生し、ファン４により吸引される。一方、フィルタ１０の上流側では、渦状の空気の動きはフィルタ１０の表面に押さえつけられ、フィルタ１０の外周縁に向かう渦状流を伴う密度の高い空気層が形成される。
【００２０】
調理等で発生した油分は、空気の流れと共に流されてフィルタ１０の上流側の面付近に到達する。上流側の面付近に到達した油分は、一部（粒子径の比較的小さい油分）は密度の高い空気層の外周縁に向かう渦状流により、また、他の一部（粒子径の比較的大きい油分）はフィルタ１０の上流側の表面（孔１１のない部分）に衝突することにより、フィルタ１０の外周縁方向に弾き飛ばされる。その結果、円盤状のフィルタ１０の外周縁を取り囲むように備えられた油分捕集部材６０に捕集され、回収される。従って、本実施例のレンジフード１は、空気流路におけるフィルタ１０より下流部分にほとんど油分を付着させず、フィルタ１０より下流部分のファン４や排気ダクトなどを清掃／洗浄する手間を大幅に軽減することができる。
【００２１】
一方、フィルタ１０が回転することにより、特に高速に回転することにより、フィルタ１０の表面付近の空気の動きも速くなり、風切り音のような音が発生する。レンジフード１は、必要な時のみフィルタ１０を高速に回転させ、騒音発生の機会を減少させる。レンジフード１は、さらに、調理器ＣＤでの調理状態を監視する調理状態監視部４０と、調理状態監視部４０が監視する調理状態に基づき、油煙が所定の閾値以上発生しているか否かを判定する判定部５０を備える。
【００２２】
調理状態監視部４０は、本実施例の場合、内面パネル５の端部に設けられ、空気中の煙を検知する煙センサである。煙センサは、空気中の粒子の濃度を測定するものであれば、特に方式は限定されないが、たとえば、調理器ＣＤの方向に光を照射し、その光の散乱光量を測定することにより、調理器ＣＤから立ち上る油煙に含まれる油粒子の質量濃度を検知する方式であってもよい。
【００２３】
判定部５０は、調理状態監視部４０の煙センサが監視する調理状態に基づき、油煙が所定の閾値以上発生しているか否かを判定する。所定の閾値は、たとえば、油での炒め物や揚げ物などの調理を行った時の油煙に含まれる油粒子の質量濃度などを事前に取得し定めてもよい。
【００２４】
制御部３０は、電動機２０すなわちフィルタ１０をさまざまな回転速度で回転するように制御し、少なくとも２つの第１回転速度およびその第１回転速度より速い第２回転速度で回転させるように制御する。第１回転速度は、ほとんど風切り音などの音が発生しない比較的低速な回転速度であり、たとえば、５００ｒｐｍ程度である。なお、第１回転速度は、第２回転速度よりも遅ければ良く、すなわちゼロも含む。また、第２回転速度は、風切り音などの音が比較的大きい比較的高速な回転速度であり、たとえば、１５００ｒｐｍ程度である。フィルタ１０が高速で回転すればするほど、渦状流の空気の流れが強くなり、油分の捕集効率が高くなるので、油煙中の油粒子の濃度が高くなった場合には、比較的高速で回転することが好ましい。したがって、制御部３０は、調理状態監視部４０が監視する調理状態に応じて、比較的低速な第１回転速度および比較的高速な第２回転速度で電動機２０の回転速度を制御する。このように、調理状態に応じて、フィルタ１０を回転させる電動機２０の回転速度を制御することで、必要な時のみフィルタ１０を高速に回転させ、騒音発生の機会を減少させたレンジフード１を提供できる。
【００２５】
より具体的には、判定部５０は、調理状態監視部４０が監視する調理状態に基づき、油煙が所定の閾値以上発生しているか否かを判定し、制御部３０は、判定部５０が油煙が所定の閾値以上発生している判定した場合、電動機２０を比較的高速な第２回転速度で回転させる。このように、油煙が所定の閾値以上発生している場合にのみフィルタ１０を高速に回転させることで、大きな騒音が発生する機会を減少させることができる。
【００２６】
図５を参照し、制御部３０の制御方法を説明する。なお、フローチャートにおけるＳは、ステップを意味する。制御部３０は、Ｓ１００において、使用者が操作部７０を操作などすることにより、レンジフード１の運転を開始する。すなわち、制御部３０は、ファン４を回転させて空気の流れを発生させ、フィルタ１０を比較的低速で騒音レベルの低い第１回転速度で回転させ、調理状態監視部４０の煙センサに油煙の状態を監視させ始める。
【００２７】
調理状態監視部４０は、Ｓ１０２において、油煙の発生量（油煙に含まれる油粒子の質量濃度）を検知し、制御部３０に伝達する。制御部３０は、Ｓ１０４において、調理状態監視部４０が検知した油煙の発生量が、予め定められた所定の閾値以上であるか否かを検査する。油煙の発生量が所定の閾値以上であった場合、制御部３０は、Ｓ１０６において、フィルタ１０を比較的高速な第２回転速度で回転させる。油煙の発生量が所定の閾値未満であった場合、Ｓ１０６のステップをスキップし、低い騒音レベルを維持する。
【００２８】
制御部３０は、Ｓ１０８において、操作部７０などから運転を終了させる信号を受信したか否かを検査する。当該信号を受信してない場合は、Ｓ１０４〜Ｓ１０８を繰り返し行い運転を継続する。当該信号を受信した場合は、Ｓ１１０において、レンジフード１の運転を終了する。すなわち、制御部３０は、ファン４の回転を終了し、フィルタ１０の回転を終了し、調理状態監視部４０の煙センサに油煙の状態の監視を停止する。このように、油煙が所定の閾値以上発生している場合に限り、大きな騒音が発生するフィルタの高速回転を行うことで、大きな騒音が発生する機会を減少させることができる。なお、操作部７０などから運転を終了させる信号を受信した後は、残置運転をしても良い。残置運転は、一定時間経過するまでフィルタ１０を回転させるものであっても良いし、調理状態監視部４０の監視結果に基づくものであっても良い。
【００２９】
図６を参照し、制御方法の変形例（第１変形例）を説明する。なお、重複記載を避けるため、上記実施例と同じステップは記載を省略し、異なる点を中心に述べる。Ｓ２００〜Ｓ２１０は、Ｓ１００〜Ｓ１１０と同じである。制御部３０は、Ｓ２０４において、調理状態監視部４０が検知した油煙の発生量が、予め定められた所定の閾値以上であるか否かを検査する。油煙の発生量が所定の閾値以上であった場合、制御部３０は、Ｓ２０６において、フィルタ１０を比較的高速な第２回転速度で回転させる。油煙の発生量が所定の閾値未満であった場合、制御部３０は、Ｓ２１２において、フィルタ１０の回転速度をゼロすなわちフィルタ１０の回転を停止する。このように、制御部３０はＳ２００で一旦フィルタ１０を比較的低速な第１回転速度で回転させるが、油煙の発生量が閾値より少ない場合は、フィルタ１０の回転を止めて、騒音を発生しないようにしてもよい。
【００３０】
図７を参照し、制御方法の変形例（第２変形例）を説明する。なお、重複記載を避けるため、上記実施例と同じステップは記載を省略し、異なる点を中心に述べる。Ｓ３００〜Ｓ３１０は、Ｓ１００〜Ｓ１１０と同じである。制御部３０は、Ｓ３０４において、調理状態監視部４０が検知した油煙の発生量が、予め定められた所定の閾値以上であるか否かを検査する。油煙の発生量が所定の閾値以上であった場合、制御部３０は、Ｓ３０６において、フィルタ１０を比較的高速な第２回転速度で回転させる。油煙の発生量が所定の閾値未満であった場合、制御部３０は、Ｓ３１２において、フィルタ１０の回転速度を比較的低速な第１回転速度で回転させる。これによれば、油煙の発生量が一旦閾値を超えてフィルタ１０の回転を比較的高速な第２回転速度で制御したとしても、また、油煙の発生量が所定の閾値より少なくなれば比較的低速な第１回転速度に戻すことができ、これにより、大きな騒音が発生する機会を減少させることができる。
【００３１】
図８を参照し、制御方法の変形例（第３変形例）を説明する。なお、重複記載を避けるため、上記実施例と同じステップは記載を省略し、異なる点を中心に述べる。Ｓ４００〜Ｓ４１０は、Ｓ１００〜Ｓ１１０と同じである。制御部３０は、Ｓ４０４において、調理状態監視部４０が検知した油煙の発生量が、予め定められた所定の閾値以上であるか否かを検査する。油煙の発生量が所定の閾値以上であった場合、制御部３０は、Ｓ４０６において、フィルタ１０を比較的高速な第２回転速度で回転させる。油煙の発生量が所定の閾値未満であった場合、制御部３０は、Ｓ４１２において、所定時間それ以前の回転速度を維持する。すなわち、油煙の発生量が一旦閾値を超えてフィルタ１０の回転を比較的高速な第２回転速度で制御し、その後油煙の発生量が所定の閾値より少なくなり比較的低速な第１回転速度に戻す場合であっても、しばらく比較的高速な第２回転速度を維持する。その後、制御部３０は、Ｓ４１４において、フィルタ１０の回転速度を比較的低速な第１回転速度で回転させる。このように、高速な第２回転速度を暫くの間維持することで、油煙等の捕集を十分なものとすることができる。
【００３２】
このように、判定部５０が油煙が所定の閾値以上発生していると判定した後その所定の閾値以上発生していないと判定した場合、制御部３０は、直ちに電動機２０の回転を停止する、または、直ちに電動機２０の回転を騒音レベルの低い第１回転速度で回転させる、または、所定時間捕集効率の高い第２回転速度を維持した後電動機２０の回転を停止する、または、所定時間第２回転速度を維持した後電動機２０の回転を第１回転速度で回転させてもよい。これによれば、油煙が所定の閾値以上発生しなくなった場合にはフィルタ１０を低速または停止するように制御することで、騒音発生の機会を減少させることができる。
【００３３】
なお、本実施例では判定部５０が油煙が所定の閾値以上発生していると判定した後その所定の閾値以上発生していないと判定した場合を説明したが、これに限らず、一度判定部５０が油煙が所定の閾値以上発生していると判定した後は、所定の閾値とは異なる値の閾値を基準としてその後の制御を行っても良い。すなわち、判定部５０が油煙が所定の閾値以上発生していると判定した後その所定の閾値とは異なる閾値以上発生していないと判定した場合、制御部３０は、直ちに電動機２０の回転を停止する、または、直ちに電動機２０の回転を騒音レベルの低い第１回転速度で回転させる、または、所定時間捕集効率の高い第２回転速度を維持した後電動機２０の回転を停止する、または、所定時間第２回転速度を維持した後電動機２０の回転を第１回転速度で回転させてもよい。
【００３４】
また、ファン４が発生させる空気の流れの風量には、少なくとも２つの第１風量およびその第１風量より大きい第２風量があり、ファン４が第２風量の空気の流れを発生させている時の第２回転速度は、ファン４が第１風量の空気の流れを発生させている時の第２回転速度より速く、ファン４が第２風量の空気の流れを発生させている時の第１回転速度は、ファン４が第１風量の空気の流れを発生させている時の第１回転速度より速くしてもよい。これによれば、空気の流れを発生させるファン４が高速に回転している場合はフィルタ１０による騒音がかき消されるので、その場合にはフィルタ１０の回転速度を高速にしても騒音とは思われ難いことから、ファン４の高速回転時と低速回転時に応じてフィルタ１０の回転速度を制御することで、騒音発生の機会を減少させると共に高い油捕集効率を維持することができる。また、風量によってフィルタを通過する油煙の流速が異なるため、必要とするフィルタ１０の回転速度は異なる。したがって、第１回転速度と第２回転速度を、相対的に風量が小さい場合には遅くすることができ、高い油捕集効率を維持したまま、フィルタ１０の回転に伴い発生する騒音を低減することが可能となる。
【００３５】
＜第二実施例＞
図９を参照し、本実施例にかかるレンジフード１Ａについて説明する。なお、重複記載を避けるため、上記実施例と同じ構成要素の記載を同じ符号を付すことで省略し、異なる点を中心に述べる。レンジフード１Ａは、空気の流れを発生させるファン４と、空気の流れの流路上であってファンより上流側に存在し、空気の流れを通過させる孔を有するフィルタ１０と、フィルタ１０を回転させる電動機２０と、電動機２０の回転を、少なくとも２つの第１回転速度および該第１回転速度より速い第２回転速度で回転させるように制御する制御部３０と、調理器ＣＤでの調理状態を監視する調理状態監視部４０Ａとを備える。
【００３６】
調理状態監視部４０Ａは、調理器ＣＤに設けられている鍋底の温度を検知する鍋底温度センサである。鍋底温度センサは、調理器に使われている公知のセンサでよく、その温度をレンジフード１Ａに伝達する通信手段を有し、レンジフード１Ａは、その通信手段から鍋底の温度を受信し、制御部３０に伝達する通信部（図示せず）を有する。調理状態監視部４０Ａは、たとえば、鍋底の温度が１００°Ｃを大きく越えて、油を使用して調理をしていると考えられる場合には、かかる温度の情報を制御部３０に伝達する。制御部３０は、そのような情報を受信した場合、フィルタ１０を比較的高速な第２回転速度で回転させてもよい。このように、調理器ＣＤでの鍋底が所定の温度を越えて調理が行われている場合に限り、大きな騒音が発生するフィルタ１０の高速回転を行うことで、大きな騒音が発生する機会を減少させることができる。
【００３７】
＜第三実施例＞
図１０を参照し、本実施例にかかるレンジフード１Ｂについて説明する。なお、重複記載を避けるため、上記実施例と同じ構成要素の記載を同じ符号を付すことで省略し、異なる点を中心に述べる。レンジフード１Ｂは、空気の流れを発生させるファン４と、空気の流れの流路上であってファンより上流側に存在し、空気の流れを通過させる孔を有するフィルタ１０と、フィルタ１０を回転させる電動機２０と、電動機２０の回転を、少なくとも２つの第１回転速度および該第１回転速度より速い第２回転速度で回転させるように制御する制御部３０と、調理器ＣＤでの調理状態を監視する調理状態監視部４０Ｂとを備える。
【００３８】
調理状態監視部４０Ｂは、本実施例の場合、内面パネル５の端部に設けられ、調理器ＣＤ上の鍋等およびその内容物の温度を検知する温度センサである。温度センサは、赤外線カメラなど非接触で温度を測定するものであれば、特に方式は限定されない。なお、本実施例では、調理状態監視部４０Ｂは、上述した煙センサの調理状態監視部４０および鍋底温度センサの調理状態監視部４０Ａと組み合わせて使用され、制御部３０は、これらのセンサを総合的に判断して、フィルタ１０の回転速度を制御することができる。調理状態監視部４０Ｂは、もちろん、単独で用いられてもよい。このように、調理器ＣＤでの鍋等およびその内容物の温度が所定の温度を越えて調理が行われている場合に、大きな騒音が発生するフィルタ１０の高速回転を行うことで、大きな騒音が発生する機会を減少させることができる。
【００３９】
なお、複数の加熱源を有する調理器の場合において、複数の加熱源で調理が行われている場合には、加熱源のうち１つでも所定の温度を超えていたらフィルタ１０を第２回転速度で回転させてもよい。また、グリルを備える調理器である場合、グリルを使用する場合には、第２回転速度で回転させてもよい。グリルの使用の検知は、レンジフードに設けた温度センサによりグリル排気口付近の温度を検知することにより行ってもよいし、調理器で選択された調理メニュー情報やグリルを点火する操作等に関する調理器信号をレンジフードが受信することにより行ってもよい。レンジフードに設けた温度センサによりグリル排気口付近の温度を検知する場合、グリル排気口付近の温度が、所定の温度より低い規定値を超えていたらグリルを使用していると判断してもよい。グリル排気口付近の温度は、実際に加熱するグリル内の温度よりも低温になるからである。
【００４０】
＜第四実施例＞
図１１を参照し、本実施例にかかるレンジフード１Ｃについて説明する。なお、重複記載を避けるため、上記実施例と同じ構成要素の記載を同じ符号を付すことで省略し、異なる点を中心に述べる。レンジフード１Ｃは、空気の流れを発生させるファン４と、空気の流れの流路上であってファンより上流側に存在し、空気の流れを通過させる孔を有するフィルタ１０と、フィルタ１０を回転させる電動機２０と、電動機２０の回転を、少なくとも２つの第１回転速度および該第１回転速度より速い第２回転速度で回転させるように制御する制御部３０と、調理器ＣＤでの調理状態を監視する調理状態監視部４０Ｃとを備える。
【００４１】
調理状態監視部４０Ｃは、本実施例の場合、レンジフード１Ｃと調理器ＣＤの間の壁面に取り付けられ、調理器ＣＤ上で行われる調理の音を収集する音センサである。調理状態監視部４０Ｃは、調理器ＣＤ上で行われる調理の音をよりよく収集するため、レンジフード１Ｃとは別体をなし、制御部３０との間で無線通信を行う。この音センサは、好ましくは調理器ＣＤ上の鍋等に対して指向性を有し、その周波数や大きさを収集し、いかなる調理が行われているかを分析する。
【００４２】
たとえば、調理状態監視部４０Ｃは、油を使って揚げ物したり炒め物をしたりする音と、煮物やお湯を沸かす音を識別し、前者の音がする場合は、かかる温度の情報を制御部３０に伝達する。制御部３０は、そのような情報を受信した場合、フィルタ１０を比較的高速な第２回転速度で回転させてもよい。このように、調理器ＣＤ上で発生している音の状態や属性により、大きな騒音が発生するフィルタ１０の高速回転を行うことで、大きな騒音が発生する機会を減少させることができる。また、調理状態監視部４０Ｃがレンジフード１Ｃとは別体となることで、監視対象に適した位置に配置することができる。
【００４３】
なお、本実施例では、調理状態監視部４０Ｃは、上述した鍋底温度センサの調理状態監視部４０Ａと組み合わせて使用され、制御部３０は、これらのセンサを総合的に判断して、フィルタ１０の回転速度を制御することができる。制御部３０は、たとえば、調理状態監視部４０Ｃの音センサが揚げ物の音が発生していると検出しても、調理状態監視部４０の鍋底温度センサが１００°Ｃ以下を検知している場合には、比較的低速で騒音レベルの低い第１回転速度でフィルタ１０を制御してもよい。調理状態監視部４０Ｃは、もちろん、単独で用いられてもよい。
【００４４】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、適用例、その他の詳細な構成において、当業者が様々な変形を加えることができるものである。
【００４５】
たとえば、調理状態監視部は、調理器ＣＤに載せられた物の温度を検出する温度センサ、調理器ＣＤに載せられた物の色彩を検出する色彩センサ、調理器ＣＤに載せられた物が発する音を検出する音センサ、調理器ＣＤとレンジフードの間の空間に存する粒子を検出する粒子センサ、調理器で選択された調理メニュー情報、および、調理器の運転状態を検出する調理器運転状態センサのいずれかまたはこれらを組合せた情報に基づいて調理状態を監視してもよい。
【００４６】
また、本発明はレンジフードに限らず、調理器を使用して調理物から発生する油煙を捕集する装置であれば良く、例えば空気清浄機付き照明器具であっても良い。
【符号の説明】
【００４７】
１      レンジフード
２      フード部
３      送風機ボックス
４      ファン
５      内面パネル
６      連通口
７      整流板
９      幕板
１０    フィルタ
１１    孔
２０    電動機
３０    制御部
４０    調理状態監視部
５０    判定部
６０    油分捕集部材
７０    操作部
Ｄ１    空気の流れる方向
ＣＤ    調理器
【図１】
2018105568.tif 000003
【図２】
2018105568.tif 000004
【図３】
2018105568.tif 000005
【図４】
2018105568.tif 000006
【図５】
2018105568.tif 000007
【図６】
2018105568.tif 000008
【図７】
2018105568.tif 000009
【図８】
2018105568.tif 000010
【図９】
2018105568.tif 000011
【図１０】
2018105568.tif 000012
【図１１】
2018105568.tif 000013
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
調理器の上方または近傍に設けられるレンジフードであって、
空気の流れを発生させるファンと、
前記空気の流れの流路上であって前記ファンより上流側に存在し、前記空気の流れを通過させる孔を有するフィルタと、
前記フィルタを回転させる電動機と、
前記電動機の回転を、少なくとも２つの第１回転速度および該第１回転速度より速い第２回転速度で回転させるように制御する制御部と、
前記調理器での調理状態を監視する調理状態監視部と、
を備え、
前記制御部は、前記調理状態監視部が監視する調理状態に応じて、前記第１回転速度および前記第２回転速度で前記電動機の回転速度を制御し、
前記ファンが発生させる空気の流れの風量には、少なくとも２つの第１風量および該第１風量より大きい第２風量があり、
前記ファンが前記第２風量の空気の流れを発生させている時の前記第２回転速度は、前記ファンが前記第１風量の空気の流れを発生させている時の前記第２回転速度より速く、
前記ファンが前記第２風量の空気の流れを発生させている時の前記第１回転速度は、前記ファンが前記第１風量の空気の流れを発生させている時の前記第１回転速度より速いことを特徴とする
レンジフード。
【請求項２】
前記調理状態監視部が監視する調理状態に基づき、油煙が所定の閾値以上発生しているか否かを判定する判定部をさらに備え、
前記制御部は、前記判定部が油煙が所定の閾値以上発生していると判定した場合、前記電動機を前記第２回転速度で回転させることを特徴とする請求項１に記載のレンジフード。
【請求項３】
前記判定部が油煙が所定の閾値以上発生していると判定した後該所定の閾値または該所定の閾値とは異なる閾値以上発生していないと判定した場合、前記制御部は、直ちに前記電動機の回転を停止する、または、直ちに前記電動機の回転を前記第１回転速度で回転させる、または、所定時間前記第２回転速度を維持した後前記電動機の回転を停止する、または、所定時間前記第２回転速度を維持した後前記電動機の回転を前記第１回転速度で回転させることを特徴とする請求項２に記載のレンジフード。
【請求項４】
前記調理状態監視部は、前記レンジフードとは別体をなし、前記制御部との間で無線通信を行うことを特徴とする請求項１乃至３のいずれかに記載のレンジフード。
【手続補正２】
【補正対象書類名】明細書
【補正対象項目名】０００５
【補正方法】変更
【補正の内容】
【０００５】
上記課題を解決するために、調理器の上方または近傍に設けられるレンジフードであって、空気の流れを発生させるファンと、空気の流れの流路上であってファンより上流側に存在し、空気の流れを通過させる孔を有するフィルタと、フィルタを回転させる電動機と、電動機の回転を、少なくとも２つの第１回転速度および該第１回転速度より速い第２回転速度で回転させるように制御する制御部と、調理器での調理状態を監視する調理状態監視部と、を備え、制御部は、調理状態監視部が監視する調理状態に応じて、第１回転速度および第２回転速度で電動機の回転速度を制御し、ファンが発生させる空気の流れの風量には、少なくとも２つの第１風量および該第１風量より大きい第２風量があり、ファンが第２風量の空気の流れを発生させている時の第２回転速度は、ファンが第１風量の空気の流れを発生させている時の第２回転速度より速く、ファンが第２風量の空気の流れを発生させている時の第１回転速度は、ファンが第１風量の空気の流れを発生させている時の第１回転速度より速いことを特徴とするレンジフードが提供される。
これによれば、調理状態に応じて、フィルタを回転させる電動機の回転速度を制御することで、必要な時のみフィルタを高速に回転させ、騒音発生の機会を減少させたレンジフードを提供できるとともに、空気の流れを発生させるファンが高速に回転している場合はフィルタによる騒音がかき消されるので、その場合にはフィルタの回転速度を高速にしても騒音とは思われ難いことから、ファンの高速回転時と低速回転時に応じてフィルタの回転速度を制御することで、騒音発生の機会を減少させると共に高い油捕集効率を維持することができる。また、風量によってフィルタを通過する油煙の流速が異なるため、必要とするフィルタの回転速度は異なる。したがって、第１回転速度と第２回転速度を、相対的に風量が小さい場合には遅くすることができ、高い油捕集効率を維持したまま、フィルタの回転に伴い発生する騒音を低減することが可能となる。
【手続補正３】
【補正対象書類名】明細書
【補正対象項目名】０００８
【補正方法】削除
【補正の内容】